(57)【要約】  本発明は、公共警報システム（ＰＷＳ）メッセージをユーザ機器（ＵＥ）デバイスに非３ＧＰＰ無線ネットワークを介して提供することを可能にする方法を提供し、本方法は、ＵＥデバイスから非３ＧＰＰ相互接続機能（Ｎ３ＩＷＦ）へのインターネットプロトコルセキュリティ（ＩＰｓｅｃ）トンネル接続を非３ＧＰＰ（Ｎ３ＧＰＰ）無線アクセス技術によって確立する段階と、公共警報システム（ＰＷＳ）メッセージの提供を第１のコアネットワーク（ＣＮ）エンティティから要求する段階と、ＵＥデバイスの位置についての情報を第１のＣＮエンティティに提供する段階とを含む。
2021524681.tif 000002
【特許請求の範囲】
【請求項１】
公共警報システム（ＰＷＳ）メッセージをユーザ機器（ＵＥ）デバイスに非３ＧＰＰ無線ネットワークを介して提供することを可能にする方法であって、前記方法は、
前記ＵＥデバイスから非３ＧＰＰ相互接続機能（Ｎ３ＩＷＦ）へのインターネットプロトコルセキュリティ（ＩＰｓｅｃ）トンネル接続を非３ＧＰＰ（Ｎ３ＧＰＰ）無線アクセス技術によって確立する段階と、
公共警報システム（ＰＷＳ）メッセージの提供を第１のコアネットワーク（ＣＮ）エンティティから要求する段階と、
前記第１のＣＮエンティティに、前記ＵＥデバイスの位置についての情報を提供する段階と、
前記ＵＥデバイスが前記第１のＣＮエンティティを用いて、グループに関連する通知エリアに基づいて前記第１のＣＮエンティティにより警戒メッセージが提供される前記グループをサブスクライブする段階であって、前記通知エリアは前記ＵＥデバイスの前記位置を含む、段階と、
前記ＵＥデバイスが前記ＩＰｓｅｃトンネルを介してサブスクライブする結果として、前記警戒メッセージの前記通知エリアを含む地域に関連する送信元アドレス又は宛先アドレスを有するＰＷＳメッセージを受信する段階と
を備える、方法。
【請求項２】
前記ＵＥデバイスの前記位置についての前記情報は、
３ＧＰＰアクセスを介して受信される前記ＵＥデバイスからのセルのセル識別と、
３ＧＰＰアクセスを介して受信される前記ＵＥデバイスのトラッキングエリア識別と、
衛星により送信される信号を用いて取得される、前記ＵＥデバイスの地理的位置と、
インターネットプロトコル（ＩＰ）アドレスと
のうちの少なくとも１つにより提供される、請求項１に記載の方法。
【請求項３】
前記Ｎ３ＩＷＦは前記第１のＣＮエンティティにより提供され、前記ＰＷＳメッセージはソース特定ＩＰマルチキャスト又は任意ソースＩＰマルチキャストにより配信される、請求項１又は２に記載の方法。
【請求項４】
ホーム公衆陸上移動体ネットワーク（ＰＬＭＮ）のネットワーク露出機能（ＮＥＦ）が、前記ＵＥデバイスの前記位置を含む地理的カバレッジを有するＰＬＭＮのＮＥＦでサブスクライブする、請求項１から３のいずれか一項に記載の方法。
【請求項５】
前記第１のＣＮエンティティは認証モビリティ機能（ＡＭＦ）を含み、前記ＡＭＦは、前記ＵＥデバイスの前記位置を含む地域向けのＰＷＳメッセージに特化したマルチキャストチャンネル及びマルチキャストグループのうちの１つを、前記ＵＥデバイスにサブスクライブさせる、請求項１又は２に記載の方法。
【請求項６】
前記ＡＭＦは、前記ＰＷＳメッセージを前記ＵＥデバイスに配信する第２のＣＮエンティティを、前記Ｎ３ＩＷＦにサブスクライブさせる、請求項５に記載の方法。
【請求項７】
前記第１のＣＮエンティティは、ＰＷＳメッセージングが前記Ｎ３ＧＰＰ無線アクセス技術を通じてサポートされるかどうかを、前記ＵＥデバイスに前記Ｎ３ＧＰＰ無線アクセス技術を通じて通知する、請求項１から６のいずれか一項に記載の方法。
【請求項８】
公共警報システム（ＰＷＳ）メッセージを受信するように適応したユーザ機器（ＵＥ）デバイスであって、前記ＵＥデバイスは、前記ＵＥデバイスから非３ＧＰＰ相互接続機能（Ｎ３ＩＷＦ）へのインターネットプロトコルセキュリティ（ＩＰｓｅｃ）トンネル接続によって、非３ＧＰＰ（Ｎ３ＧＰＰ）無線アクセス技術を用いて、コアネットワーク（ＣＮ）エンティティにアクセスするように構成され、前記ＵＥデバイスはさらに、ＰＷＳメッセージングを受信する能力について第１のＣＮエンティティに通知するように構成され、前記能力は任意選択で、そのようなメッセージングを受信する前記ＵＥデバイスのユーザの欲求を示してよく、
前記ＵＥデバイスは、
前記第１のＣＮエンティティに前記ＵＥデバイスの位置についての情報を提供することと、
グループに関連する通知エリアに基づいて前記第１のＣＮエンティティにより警戒メッセージが提供される前記グループを、前記ＵＥデバイスに前記第１のＣＮエンティティを用いてサブスクライブさせることであって、前記通知エリアは前記ＵＥデバイスの前記位置を含む、サブスクライブさせることと、
前記ＵＥデバイスによる前記グループのサブスクリプションの結果として、前記警戒メッセージの前記通知エリアを含む地域に関連する送信元アドレス又は宛先アドレスを有するＰＷＳメッセージを、前記ＩＰｓｅｃトンネルを介して受信することと
を行うように適応している、ＵＥデバイス。
【請求項９】
前記第１のＣＮエンティティは前記Ｎ３ＩＷＦを含む、請求項８に記載のＵＥデバイス。
【請求項１０】
前記第１のＣＮエンティティは認証モビリティ機能を含む、請求項８に記載のＵＥデバイス。
【請求項１１】
前記ＵＥデバイスは、前記コアネットワークからのＰＷＳメッセージ配信サービスへの前記ＵＥデバイスの登録を確認する確認情報を受信するように構成される、請求項８に記載のＵＥデバイス。
【発明の詳細な説明】
【技術分野】
【０００１】
本発明は、ユーザ機器デバイスが非３ＧＰＰネットワークに接続しているときに、公共警報メッセージを配布する仕組みに関する。
【背景技術】
【０００２】
ユーザ機器（ＵＥ）デバイスが一般に、無線アクセスネットワーク（ＲＡＮ）であってよいアクセスネットワークを通じて、３ＧＰＰコアネットワーク（ＣＮ）にアクセスする。無線アクセスネットワークが３ＧＰＰにより規定される場合、例えば、新たに規定された５Ｇ無線アクセスネットワークである場合、このアクセスネットワークは、認証モビリティ機能（ＡＭＦ）への接続を提供する。ＡＭＦは、単一のＣＮに複数回存在してよい。通常、あるＡＭＦが、ネットワークにおけるＵＥの登録時に、あるＵＥに対して選択され、１つのＡＭＦのみが単一のＵＥを担う。ＡＭＦは、ＣＮの全ての要素と同じように、ルーティングインフラを通じて、他のＣＮ要素に通信することができる。ＡＭＦは例えば、ユニバーサルデータ管理（ＵＤＭ）に接続して、登録したＵＥを認証し、サブスクライブサービスに関する情報を受信して、ＵＥとの通信に用いるセキュリティ認証情報を獲得する。
【０００３】
ＵＥは、セルラモバイルネットワークに入ると、あるセル（例えば、最も強いセル）を選択し、当該セル及びアクセス可能なＣＮに関する情報をシステム情報ブロードキャストから取得する。選択されたセルが最適である場合、ＵＥはそれぞれの基地局への接続をセットアップし、そこから、選択されたＡＭＦに接続して、ＣＮでの登録を要求する。ＣＮのセルはトラッキングエリア（ＴＡ）でグループ化されており、ＵＥデバイスは選択されたセルのＴＡでの登録を要求する。登録されている間、ＣＮは、ＴＡ又はＵＥが存在するＴＡの少なくとも構成リストを常に把握しているので、ＣＮはＵＥに接続できる。ＵＥが接続モードにある場合、ＣＮは、ＵＥとＡＭＦとの間で確立された接続を用いて接続することができる。すなわち、ＡＭＦは、サービス提供するＲＡＮノード（基地局、ｅＮｏｄｅＢ、ｅＮＢ）を把握している。ＵＥがアイドルモードにある場合、ＣＮは、ＴＡ又はＵＥが現在登録されているＴＡのリストに属する全てのセルにおいて、ＵＥにページングするようＲＡＮに要求できる。アイドルモードのＵＥが、構成されたＴＡのリストにないＴＡを有するセルに変わった場合、ＵＥは、新たなＴＡについてＣＮに通知するために再登録を要求し、登録されたＴＡの新たなリストを要求する。
【０００４】
セルのシステム情報が変わった場合はいつでも、セルは、ページングメッセージをブロードキャストして、当該セルに現在存在する全てのＵＥに変更について通知する。次いでＵＥは、変更したシステム情報の部分を再読み出しできる。この仕組みは、システム情報を永続的に監視して、ＵＥに用いられる情報が確実に最新であるようにする必要性を、ＵＥから取り除いている。したがって、アイドルモードのＵＥは、あるセルに入ると、当該セルのシステム情報を読み出すことができる。その後ＵＥは、例えば、保留中の移動体着信呼又は保留中のダウンリンクデータの場合に、システム情報変更について通知するページングメッセージ、又はＵＥへの接続をセットアップするＣＮの試みをリッスンする。
【０００５】
ＡＭＦがＵＤＭと通信する際の、ＵＥとＡＭＦとの間の認証後に、ＵＥは登録されて、ＵＥはサービスを要求することができる。データネットワーク（ＤＮ）への（例えば、インターネットへの）データ配信が行われる場合、ＵＥは適切な接続（いわゆる、ＰＤＵセッション）のセットアップを、（Ｒ）ＡＮから１つ又は複数のユーザプレーン機能（ＵＰＦ）に、またそこからデータネットワークに要求する。ＵＰＦにおける適切なコンテキストセットアップ、及びネットワークリソースの割り当ては、セッション管理機能（ＳＭＦ）によって行われる。ＳＭＦは、加入者データ、接続されるデータネットワーク、及び現在のネットワーク負荷に従って、ＡＭＦにより選択される。ネットワーク露出機能（ＮＥＦ）が、事業者ネットワーク（ＰＬＭＮ）と当該ネットワークの外側にあるエンティティとの間のデータのやり取りを担う。例えば、ＮＥＦは、加入者又デバイスに固有の情報（到達可能性、利用可能なＱｏＳ、アドレス）をＰＬＭＮの外側にあるサーバに提供することができる、又は、ＮＥＦは、外部サーバからの情報をＣＮエンティティに提供することができる。
【０００６】
セルラモバイルネットワークは一般に、上述したアクセスネットワークとコアネットワークとから構成される。アクセスネットワークは主に、例えば、ＧＳＭ（登録商標）、ＵＭＴＳ、又はＬＴＥを介して、セルラ無線アクセスをモバイルデバイスに提供する。追加的なアクセスネットワークが、短距離無線アクセス（例えば、ＷＬＡＮ）又は固定若しくは衛星アクセスを介したアクセスを、モバイルデバイス又は固定デバイスに提供してよい。アクセスネットワークは通常、これらのデバイスへの無線接続をセットアップし、制御し、維持するための機能一式を提供する。
【０００７】
コアネットワークは、アクセス固有ではない仕組み、例えば、デバイス及び／又は加入者の認証認可課金（ＡＡＡ）、アクセスネットワーク間のモビリティ、およびアクセスネットワークと外部データネットワークとの間のルーティングを提供する。
【０００８】
３ＧＰＰは、３ＧＰＰコアネットワークにアクセスする様々なアクセスネットワーク、例えば、ＧＳＭ（登録商標）、ＵＭＴＳ、ＨＳＰＡ、ＬＴＥ、ＬＴＥ−Ａ、及び近い将来には５Ｇアクセスネットワークを規定する。これらのネットワークは、具体的には３ＧＰＰコアネットワークの制御下で機能するように開発されている。それぞれの基地局は、コアネットワークのセキュリティ機構をサポートし、コアネットワークの事業者又は信頼できるサードパーティによってセットアップされ、維持される。その結果、３ＧＰＰアクセスネットワークは、コアネットワークに信頼され得る。
【０００９】
さらに、３ＧＰＰコアネットワークは、信頼できる事業者によるセットアップ及び維持が行われなくてもよいアクセスネットワークをサポートするようにセットアップされ、こうしたアクセスネットワークも、事業者の領域の外側に存在し得る。これらのアクセス技術は、まとめて非３ＧＰＰアクセス（Ｎ３ＧＰＰ）と名付けられるので、コアネットワークとアクセスネットワークとの間に信頼関係がない場合、アントラステッドＮ３ＧＰＰアクセスと呼ばれることがある。
【００１０】
図１は、３ＧＰＰアクセス技術（（Ｒ）ＡＮ）を介したＣＮへのアクセスをＵＥに提供するネットワークエレメントと、さらに、非３ＧＰＰアクセス（Ｎ３ＧＰＰアクセス、例えばＷＬＡＮ）を介してＣＮに接続されるＵＥとを示す。ＷＬＡＮはアントラステッドノードであるため、ＷＬＡＮ自体は、複数のアントラステッド非３ＧＰＰアクセスネットワーク（図１には１つだけが示されている）を集め得る非３ＧＰＰ相互接続機能（Ｎ３ＩＷＦ）に接続される。Ｎ３ＩＷＦは、事業者により維持されるデバイスのため信頼できる。
【００１１】
５Ｇコアネットワークへの非３ＧＰＰアクセスは、アントラステッドＮ３ＧＰＰアクセス（例えばＷＬＡＮ）を介してＵＥからコアネットワークにアクセスするために実行される以下の機能を必要とする。
・ＵＥは、ＩＰ接続をＷＬＡＮアクセスポイントから取得し、Ｎ３ＩＷＦの選択を行う。
・その後、ＵＥは、ＵＥのＵＩＣＣから事前に共有された暗証を用いて、選択したＮ３ＩＷＦとのセキュリティアソシエーションを確立する。Ｎ３ＩＷＦは、適切なＡＭＦを選択し、ＵＥ又はＵＥのそれぞれの加入者を認証するよう求め、セキュリティ認証情報を受信する。これらの認証情報は、ＵＩＣＣにより生成される認証情報と対になるものであり、ＵＥとのセキュリティアソシエーションの基礎を築く。ＵＥ及びＮ３ＩＷＦは、インターネットプロトコルセキュリティ（ＩＰｓｅｃ）トンネルをセットアップするので、ＵＥは、アントラステッドＷＬＡＮでＮ３ＩＷＦと安全に通信できる。
・ＩＰｓｅｃトンネルのセットアップでは、Ｎ３ＩＷＦは、Ｎ３ＩＷＦローカルアドレス空間からの第２のＩＰアドレス、つまり内部ＩＰアドレスをＵＥに割り当てる。また、ＵＥには、同じアドレス空間から、ＵＥが制御メッセージをＣＮに（すなわち、そのＡＭＦに）アドレス指定する宛先ＩＰアドレス（そのため、ＮＡＳ＿ＩＰ＿ＡＤＤＲＥＳＳと呼ばれる）が提供される。Ｎ３ＩＷＦは、送信元としてＮＡＳ＿ＩＰ＿ＡＤＤＲＥＳＳを用い、ＩＰｓｅｃトンネルを介したＮＡＳシグナリングの宛先としてＵＥの内部ＩＰアドレスを用いる。
・ＵＥとＮ３ＩＷＦとの間のＩＰｓｅｃトンネル、及びＮ３ＩＷＦとＡＭＦとの間のインタフェースが安全にセットアップされると、ＵＥは、ＡＭＦへのＵＥの論理接続を構成する経路を有する。
【００１２】
ここでＵＥは、アントラステッドＷＬＡＮを通じ、ユーザプレーン機能（ＵＰＦ）を介して、データネットワーク（ＤＮ）への接続をセットアップするよう要求してよい。この目的のために、ＰＤＵセッションがＷＬＡＮ及びＮ３ＩＷＦを介してセットアップされ、最初の及び全てのその後のそのようなＰＤＵセッションのために、ＵＥには、Ｎ３ＩＷＦローカルアドレス空間から、ＵＥがユーザデータをアドレス指定するのに用いる第２の宛先ＩＰアドレスが提供される。
【００１３】
ＵＥデバイスは、アクセス可能な事業者ネットワーク（ＰＬＭＮ）のＮ３ＩＷＦへの接続を提供する任意のＮ３ＧＰＰアクセスを用いて、ネットワークに接続することができる。代表的な例は、公衆インターネットアクセスを提供するプライベートＷＬＡＮ又は公衆ＷＬＡＮのホットスポットである。ＵＥは、インターネットにアクセスし、インターネットを介してＮ３ＩＷＦにアクセスできるので、ＣＮへの安全な接続をセットアップできる。
【００１４】
Ｎ３ＧＰＰアクセスの柔軟性の１つの結果が、ＵＥ又はＮ３ＧＰＰアクセスノード（例えば、ＷＬＡＮアクセスポイント）の位置をＣＮは認識していないということである。ＣＮにアクセスするＵＥが、ユーザのプライベートＷＬＡＮアクセスポイントに接続された住居の位置にあっても、別の国のホテルのホットスポットにあってもよい。ＵＥデバイスは、３ＧＰＰアクセスを介してＣＮに、すなわちＮ３ＧＰＰと同じＰＬＭＮのＣＮ又は異なＰＬＭＮのＣＮに、並列に接続されてよい。
【００１５】
無線（例えば、ＷＬＡＮ）アクセスポイントがＰＬＭＮ事業者の制御下にないので、これらのアクセスポイントは固定位置を持たず、位置を示すトラッキングエリア（ＴＡ）又はセルＩＤ情報を、接続されたＵＥデバイスに提供しない。したがって、５ＧのＣＮが、単一のＴＡを全てのＮ３ＧＰＰアクセスネットワークに割り当てる。このＴＡにより、３ＧＰＰネットワークを区別することが可能になるが、重要なデバイス位置情報は何も提供されない。
【００１６】
グローバルにルーティング可能なＩＰアドレスからデバイスの位置を獲得する手段はあるが、これらの手段は、信頼できず正確でもない。これらの手段は通常、ＩＳＰネットワークで行われるネットワークアドレス変換によって、デバイスの位置の代わりに、インターネットサービスプロバイダ（ＩＳＰ）のインターネットアクセスポイントの位置をもたらす。
【００１７】
３ＧＰＰは、いくつかの地域警報システムの枠組を提供する公共警報システム（ＰＷＳ）の特徴を記載している。ＰＷＳは、日本の地震津波警報システム（ＥＴＷＳ）、米国の商用移動体警報システム（ＣＭＡＳ）、及び欧州のＥＵ−ａｌｅｒｔのサポートを含む。事業者ＣＮの外側の警報通知プロバイダが、警報メッセージ及び通知エリアをＣＮに提供する。このメッセージは、現在のところサイズが限定されており（９０文字又は３１６文字）、通常、イベント内容、警戒区分、被害地域、推奨行動、有効期限、及び発信機関を含む。
【００１８】
通知エリアから、警報メッセージを配布する必要があるＴＡ及び／又はセル（セルＩＤ）のリストが得られる。メッセージの伝達には、それぞれのセルのブロードキャスト機構を用いる。２Ｇ及び３Ｇのシステムでは、セルのブロードキャスト機能が伝達に用いられ、ＬＴＥシステムでは、それぞれのブロードキャストメッセージを受信できる全てのＵＥへの非確認型ブロードキャストに基づいて、特定の類似した配布機構が用いられる。
【００１９】
ＬＴＥでは、全てのセルにおいてブロードキャストされるシステム情報で、警戒メッセージが伝達される。ＵＥは、本明細書で前述したシステム情報変更通知に類似したページングメッセージを介して、新たな警戒メッセージについて通知される。あるセルに在圏しているＵＥが、個々のページング周期に従って、ネットワークに接続するためのＣＮ要求のページング、システム情報変更通知のページング、及び警戒メッセージのページングをリッスンする。ローミングを利用するユーザ及びＵＥは、ＰＷＳの事業者によるサポートを受ける必要がある。
【００２０】
警戒区分が、一意且つ明確なモバイルデバイス挙動を確保するために、グローバルに指定される。ユーザは、デバイス実装及び地方条例に応じて、ある警戒区分から手動で抜けることが可能であってよい。例えば、ＣＭＡＳの「大統領警報」は選択できないが、ＣＭＡＳの「重度の深刻さ、即座の緊急性、及び観察の確実性を有する重大警報」は選択可能である。ＵＥデバイスが受信する警報は、すぐにユーザに注目されなければならない、すなわち、ディスプレイに示されなければならないが、これらの警報は進行中の音声通話又はビデオ通話を中断してはならない。
【００２１】
サーバと、モバイルデバイスで実行されるＯＴＴ（ｏｖｅｒ  ｔｈｅ  ｔｏｐ）アプリケーションとに基づいた、既知の警報メッセージ提供システムがある。警報メッセージは、警報通知プロバイダから受信され、通知エリアを含む関心のある１つ又は複数の地域に登録されている各デバイスに、専用の（すなわち、サーバから各デバイスへの）ＩＰ接続でサーバから配信される。これらのアプリケーションは通常、モバイルデバイスのエコシステムのプッシュ通知機構を用いて、デバイスに警報を出す。アプリケーションは、デバイスの現在の状態に従って、またアプリケーション設定とデバイスのＭＭＩの状態とに従って、ユーザに通知してよい。
【００２２】
米国特許出願公開第２０１４／０２７３９０９号には、ＵＥデバイスが、ＰＷＳメッセージを受信した後の事前設定した時間の間、公共警報システム（ＰＷＳ）の警戒メッセージの配信をサポートするネットワーク（例えば、セルラモバイルネットワーク）からＰＷＳメッセージ配信をサポートしていないネットワーク（例えば、Ｎ３ＧＰＰネットワーク）に切り替わるのを防ぐ方法が説明されている。この方法では、Ｎ３ＧＰＰネットワークに切り替わらないことによって、又は代替的にＮ３ＧＰＰネットワークと通信することによって、第１のメッセージに続くと予想されるさらなるＰＷＳ警戒メッセージの受信が可能になるとともに、セルラネットワークへの接続を保持してＰＷＳメッセージを受信する。
【００２３】
説明した方法は、Ｎ３ＧＰＰへのネットワーク接続を防止することによって、先行技術のいくつかの欠陥を解決するが、本発明は、必要なサービスをＮ３ＧＰＰネットワークがサポートすることを可能にする。
【００２４】
欧州特許公開第１７９８８９８  Ａ１号には、異なる無線技術（ＷＬＡＮ及びＵＭＴＳなど）をサポートできる複数のアクセスポイントから無線アクセスポイントを選択する方法が説明されている。ネットワーク側の制御エンティティが、複数のアクセスポイントのうちのどれをＵＥへの送信に用いるべきかを決定することができる。
【００２５】
３ＧＰＰの公共警報システム（ＰＷＳ）は、ＰＬＭＮにアクティブな登録をしていない、又はＰＬＭＮのサブスクリプションを有していないデバイスでも、ＰＬＭＮ内のデバイスのサポートについてユーザの安全な警報を可能にする。しかしながら、ＰＷＳメッセージは、Ｎ３ＧＰＰアクセス技術によって機能することはない。警報メッセージを効果的に配信するブロードキャスト機構も、正確な通知エリアで警戒メッセージを提供する位置機構も、利用可能ではない。
【００２６】
しかしながら、公衆ホットスポットの利用と、３ＧＰＰネットワークへのアクセスに対する公衆ホットスポットの利用が増加することによって、Ｎ３ＧＰＰアクセスを通じて（特にＷＬＡＮを通じて）ＰＷＳを提供する要求が生じている。
【００２７】
ＯＴＴアプリケーションは、公衆ホットスポット及びＷＬＡＮを介して利用可能な警報機構を提供するが、その利用法は随意であり、規制できるものではなく、ユーザには自分のデバイスにアプリケーションをインストールして、当該アプリケーションを保持することが求められる。また、この仕組みは、そのようなアプリケーションを実行できるスマートなデバイスでしか機能せず、簡単な電話、機械、及びセンサのような他のタイプのＵＥデバイスは、そのような機能の範囲外である。
【００２８】
その結果、Ｎ３ＧＰＰアクセスで利用可能だが事業者ネットワークによって制御され、且つ多種多様なモバイルデバイスにより利用可能なＰＷＳが欠けている。
【００２９】
米国特許出願公開第２０１７／０２８９８８３  Ａ１号には、確立した緊急サービスセッションを、セルラ方式の３ＧＰＰ無線アクセスネットワークから非３ＧＰＰ無線アクセスネットワークにハンドオーバーする技術が説明されている。この文献は、緊急サービスセッションの確立を必要としないＰＷＳメッセージの送信については言及していない。それどころか、そのようなＰＷＳメッセージを送信するために緊急サービスセッションを確立するのは、非生産的である。
【発明の概要】
【００３０】
本発明の全体にわたって、コアネットワーク機能及びコアネットワークエンティティという用語が、基本的に同義語として用いられる。コアネットワーク機能という用語は、５Ｇ規格の新たな用語を反映しており、ネットワークの様々な実際のエンティティにより実行され得る機能を参照している。コアネットワーク機能は、例えば、認証及び登録、加入者データベースアクセス又はブロードキャスト配信管理のためのネットワークエンティティを仮想化する仮想マシンを提供するサーバにより実行され得る。コアネットワークエンティティという用語は、上述した機能のような主な機能が、あるエンティティ（例えば、モビリティ管理エンティティ）に明らかに関連している以前の規格に用いられる。本発明の全体にわたって、これらの用語は、コアネットワークの任意の物理エンティティにより提供される機能のことを指すときに、交換可能に用いられる。
【００３１】
本発明は、公共警報システム（ＰＷＳ）メッセージをユーザ機器（ＵＥ）デバイスに非３ＧＰＰ無線ネットワークを介して提供することを可能にする方法を提供し、本方法は、ＵＥデバイスから非３ＧＰＰ相互接続機能（Ｎ３ＩＷＦ）へのインターネットプロトコルセキュリティ（ＩＰｓｅｃ）トンネル接続を非３ＧＰＰ（Ｎ３ＧＰＰ）無線アクセス技術によって確立する段階と、公共警報システム（ＰＷＳ）メッセージの提供を第１のコアネットワーク（ＣＮ）エンティティから要求する段階と、ＵＥデバイスの位置についての情報を第１のＣＮエンティティに提供する段階とを含む。
【００３２】
ＵＥデバイスが、第１のＰＬＭＮのＣＮにＮ３ＧＰＰアクセス及びＮ３ＩＷＦを介してアクセスしてよく、Ｎ３ＩＷＦへのＩＰｓｅｃトンネルをセットアップしてあるＵＥデバイスは、警報通知プロバイダにより提供される警戒メッセージ（警報メッセージ又は保留中の警報メッセージについての通知など）のＮ３ＧＰＰアクセスを介した配信をＣＮエンティティから要求する。ＵＥデバイスは、ＵＥデバイスが３ＧＰＰアクセスを介して受信した信号の送信元であるセルのセルＩＤ及び／又はＴＡを通知する形で、又は、ＵＥデバイスの地理的位置について通知する形で、又は、ＣＮエンティティにより警戒メッセージが提供されるグループを、当該グループに関連する通知エリアに基づいて、ＣＮエンティティを用いてサブスクライブする形で、又は、ＣＮエンティティを用いて、ＣＮエンティティにより警戒メッセージが提供されるグループをサブスクライブし、ＣＮエンティティが、受信した情報からＵＥデバイスの位置を決定し、ＵＥがＣＮエンティティ（例えば、ＩＰアドレス）に接続する形で、ＵＥデバイスの位置についてＣＮエンティティに通知する。
【００３３】
ＣＮエンティティはＮ３ＩＷＦであってよく、Ｎ３ＩＷＦは、ソース特定ＩＰマルチキャスト（ＳＳＭ）の仕組みを用いて警戒メッセージを配信し、Ｎ３ＩＷＦはＩＰｓｅｃトンネルを介して警戒メッセージをＵＥデバイスに送信し、警戒メッセージは、警戒メッセージに特化したマルチキャストアドレスにアドレス指定される。警戒メッセージは、警戒メッセージの通知エリアを含む地域に関連する送信元アドレスを有する。ＵＥは、この場合、ＵＥデバイスの位置を含む地域向けの警戒メッセージに特化したマルチキャスト（ＭＣ）チャネル（チャネル＝ＭＣの送信元及び宛先アドレス）を、Ｎ３ＩＷＦを用いてサブスクライブする。
【００３４】
代替的に、Ｎ３ＩＷＦは、任意ソースＩＰマルチキャスト（ａｎｙ  ｓｏｕｒｃｅ  ＩＰ  ｍｕｌｔｉｃａｓｔ：ＡＳＭ）の仕組みを用いて、警戒メッセージを配信してよく、Ｎ３ＩＷＦはＩＰｓｅｃトンネルを介して警戒メッセージをＵＥデバイスに送信し、警戒メッセージは、警戒メッセージの通知エリアを含む地域向けの警戒メッセージに特化したマルチキャストアドレスにアドレス指定される。ＵＥは、この場合、ＵＥデバイスの位置を含む地域向けの警戒メッセージに特化したマルチキャストグループ（グループ＝ＭＣの宛先アドレス）を、Ｎ３ＩＷＦを用いてサブスクライブする。
【００３５】
Ｎ３ＩＷＦは、当該ＵＥの位置に該当する警戒メッセージを配信する（当該エンティティの）サービスを、まだサブスクライブしていなければ、別のＣＮエンティティ（ＮＥＦ）でサブスクライブしてよい。言い換えれば、Ｎ３ＩＷＦは、Ｎ３ＩＷＦによりサービス提供される少なくとも１つのＵＥの位置に該当する警戒メッセージを配信する（当該エンティティの）サービスを、別のＣＮエンティティでサブスクライブしてよい。
【００３６】
ＣＮエンティティはＡＭＦであってよく、ＡＭＦは、ＵＥデバイスの位置を含む地域向けの警戒メッセージに特化したマルチキャスト（ＭＣ）チャネル又はマルチキャストグループを、Ｎ３ＩＷＦにあるＵＥデバイスにサブスクライブさせる。ＡＭＦはまた、同じＭＣチャネル又はＭＣグループをＣＮエンティティ（ＮＥＦ）にあるＮ３ＩＷＦに、まだサブスクライブしていなければサブスクライブさせる。あるいは、ＡＭＦは、ＭＣチャネル又はＭＣグループに対応する警戒メッセージを配信するサービスを、ＣＮエンティティ（ＮＥＦ）にあるＮ３ＩＷＦに（まだサブスクライブしていなければ）サブスクライブさせる。ＡＭＦは任意選択で、Ｎ３ＩＷＦ及び／又はＵＥデバイスとＰＷＳサービスとの間の関係、並びに関連する通知エリア又はＵＥデバイスの位置を格納する（注意：ストレージは推奨されないが、選択肢である。実施形態を参照のこと）。
【００３７】
ＵＥデバイスが、要求した警戒メッセージを受信するために、Ｎ３ＩＷＦから受信するはずの（又はＮ３ＩＷＦをリッスンするはずの）１つ又は複数のＭＣグループまたはＭＣチャネルについて、ＡＭＦはＵＥデバイスに通知してよく、ＣＮエンティティ（ＮＥＦ）は、特定の位置に該当する警戒メッセージを、少なくとも１つのＵＥデバイスが特定の位置のＰＷＳサービスに関心を示している場合にはＮ３ＩＷＦに配信してよい。単一の警戒メッセージ（数回繰り返される可能性がある）が、Ｎ３ＩＷＦを介して接続された全てのＵＥデバイスのＮ３ＩＷＦに（すなわち、マルチキャスト方式で）送信される。Ｎ３ＩＷＦは、それぞれの警戒メッセージ（警戒メッセージの通知エリア）に対応するグループまたはチャネルをサブスクライブするＵＥデバイスに警戒メッセージを配信する。メッセージは、当該グループにアドレス指定されたＵＥデバイスにＮ３ＩＷＦによって送信され、ＵＥとＮ３ＩＷＦとの間に確立された安全なトンネルを通じてポイントツーポイントで配信される。
【００３８】
ＣＮエンティティは、ＰＷＳ専用の新たなエンティティであってよく、又は、既存のＣＮ機能がＰＷＳ機能を含むように拡張される。新たなＰＷＳ機能をＮ３ＩＷＦ又はＡＭＦに実装するのは有益であるが、新たなＣＮエンティティ又はＮ３ＩＷＦ若しくはＡＭＦ以外の拡張した既存のエンティティに新たなＰＷＳ機能を実装することは除外されない。
【００３９】
上記セクションのメッセージに対応するメッセージが、ＰＷＳエンティティとＮ３ＩＷＦ又はＡＭＦとの間で、任意の組み合わせでやり取りされなければならない。
【００４０】
ＣＮエンティティ（Ｎ３ＩＷＦ又はＡＭＦ）は、ＰＷＳがＮ３ＧＰＰアクセスを通じてサポートされるかどうか、またＵＥデバイスの位置を含む地域のＰＷＳがサポートされるかどうかを、Ｎ３ＧＰＰアクセスを通じて、登録中のＵＥデバイスに通知するのが好ましい。ＵＥデバイスは、３ＧＰＰアクセスネットワークでブロードキャスト情報を受信し、ＰＷＳがＮ３ＧＰＰアクセスを通じてサポートされない場合、又はＰＷＳがＵＥデバイスの位置を含む任意の地域のＮ３ＧＰＰアクセスを通じてサポートされない場合に、ＰＷＳ警戒メッセージを受信する。
【００４１】
ＵＥは、Ｎ３ＧＰＰアクセス及びＮ３ＩＷＦを介してＣＮにアクセスしてよく、ＵＥは、関心／ＩＧＭＰを介してＰＷＳ警戒メッセージを受信する能力について、すなわち、ＵＥデバイスの位置での警報に該当するＭＣグループ又はＭＣチャネルのサブスクリプションについてＮ３ＩＷＦに通知する。又は、この位置は、地理的位置又はＩＰアドレス（これを用いると、ＵＥデバイスはＮ３ＩＷＦから見える）を示すＮ３ＩＷＦにＵＥデバイスにより明示的に提供される。又は、ＵＥデバイスは、３ＧＰＰアクセスネットワークを介して受信されるＰＬＭＮのＩＤ、その国識別コード、及び／又はＴＡ、及び／又はセルＩＤについて、例えば、情報を明示的に提供することにより、又は国、ＰＬＭＮ、ＴＡ、及び／又はセルＩＤを含む地域に特化したグループをサブスクライブすることにより、Ｎ３ＩＷＦに通知する。
【００４２】
代替的に、ＵＥは、関心／ＰＷＳ警戒メッセージを受信する能力について、（例えば登録中に）ＡＭＦに通知してよく、ＵＥはその位置について、地理的位置又はＰＬＭＮ、国、ＴＡ又はセルＩＤの形でＡＭＦに通知する。位置、ＰＬＭＮ、ＴＡ、又はセルＩＤは、ＡＭＦのＰＬＭＮの一般的なカバレッジエリアの外側の位置を指し示してよい。ＡＭＦは、ＵＥデバイスの位置での警報に該当する１つ又は複数のＭＣグループ又はＭＣチャネルを、Ｎ３ＩＷＦにあるＵＥにサブスクライブさせる。
【００４３】
ＵＥデバイスの位置は、第２のＰＬＭＮの一般的なカバレッジエリアにあってよい。すなわち、ＰＬＭＮテリトリであるが３ＧＰＰアクセスカバレッジの範囲外であり、例えば、地下室若しくは大きい家又は第２のＰＬＭＮのホワイトスポットでは、Ｎ３ＧＰＰアクセスを介して第１のＰＬＭＮに接続される。ＵＥデバイスにより受信される警戒メッセージは、警報の通知エリアについての情報を含み、ＵＥは当該情報とＵＥ自体の位置とに基づいて、警戒メッセージが処理されるかどうか、例えば、ＵＥデバイスのユーザが警報を受けるかどうかを判定する。
【００４４】
ＵＥは、Ｎ３ＩＷＦ又はＡＭＦから、ＰＷＳがＣＮのＮ３ＩＷＦを介してサポートされるかどうか、又はＰＷＳがＵＥデバイスの位置を含む地域のＮ３ＩＷＦを介してサポートされるかどうかの情報を受信し、ＰＷＳがＣＮにおいてサポートされない場合、３ＧＰＰアクセスネットワークで警戒メッセージのブロードキャストをリッスンしてよい。
【００４５】
ＣＮにおいてＰＷＳがサポートされない場合、ＵＥデバイスは、ＡＭＦのＰＬＭＮとは異なるＰＬＭＮに接続するために、ＡＭＦから登録解除してよい。第１のＰＬＭＮ（例えば、住居）が、ＵＥデバイスの位置を含む通知エリアに該当する警戒メッセージの配信を求める要求を、Ｎ３ＩＷＦを介してＵＥデバイスから受信する。ＵＥデバイスの位置は、第１のＰＬＭＮと地理的に重ならない第２のＰＬＭＮ（例えば、訪問先）の一般的なカバレッジエリアにある。第１のＰＬＭＮは、それぞれの警戒メッセージの配信を求める要求を第２のＰＬＭＮに送信する。当該要求は、要求された警戒メッセージの通知エリアに関連する位置情報を含む。第１のＰＬＭＮは、要求する警戒メッセージを第１のＰＬＭＮに転送する第２のＰＬＭＮについて通知する要求の確認応答を受信する。第１のＰＬＭＮは、要求した警戒メッセージの配信を（そのような警戒メッセージが受信される場合）ＵＥデバイスに確認する。
【図面の簡単な説明】
【００４６】
ここで、本発明の好ましい実施形態が、添付図面を参照して、単に例として説明されることになる。
【００４７】
【図１】簡略化した５Ｇコアネットワークの概略図である。
【００４８】
【図２】ローミングシナリオにおける、簡略化されたＣＮアーキテクチャである。
【００４９】
【図３】ＰＷＳメッセージングの確立についてのメッセージシーケンスチャートである。
【００５０】
【図４】第２実施形態のさらなるメッセージシーケンスチャートである。
【００５１】
【図５】第３実施形態のまたさらなるメッセージシーケンスチャートである。
【発明を実施するための形態】
【００５２】
ＵＥに３ＧＰＰアクセス及びＮ３ＧＰＰアクセスをサービス提供する一般的な５Ｇコアネットワークアーキテクチャが上述された。
【００５３】
図２はさらに、ローミングの場合での、すなわち、加入者が自分のホームＰＬＭＮではないＣＮにアクセスする場合での、簡略化されたＣＮアーキテクチャを示す。ＵＥは、上述したものと同様の訪問先ネットワークのＡＭＦに登録するが、ＡＭＦは認証のためにホームネットワークに連絡する。ホームネットワーク内のＵＤＭ及びＡＵＳＦは、ＵＥを認証し、訪問先ネットワークのＡＭＦに転送されるセキュリティコンテキストを作成する。
【００５４】
５Ｇの新たなＣＮアーキテクチャによれば、ＵＥは同時に、３ＧＰＰアクセスを介して訪問先ＰＬＭＮにアクセスし、Ｎ３ＧＰＰを介して（例えば、インターネットでＷＬＡＮを介して）ホームＰＬＭＮにアクセスしてよい。Ｎ３ＧＰＰアクセスは次に、ホームＰＬＭＮのＮ３ＩＷＦを介して提供され、ホームＰＬＭＮのＡＭＦで第２の登録が行われる。
【００５５】
第１実施形態は、図２による一般的なアーキテクチャに基づいている。すなわち、ＵＥが、３ＧＰＰアクセスを介してホームＰＬＭＮに達することができない位置に存在すると仮定している。ＵＥは、訪問先ＰＬＭＮの一般的なカバレッジエリアに存在してよいが、このＵＥは訪問先ＰＬＭＮに登録されていない。図２は、ＲＡＮ及び訪問先ＰＬＭＮへの接続を破線で示している。その理由は、訪問先ＰＬＭＮでの登録が利用可能ではないと仮定されているが、実施形態によっては、ＵＥは訪問先ネットワークからの情報を受信できるからである。
【００５６】
第１実施形態が、メッセージシーケンスチャートとして図３に示されている。ＵＥは、例えばＷＬＡＮを介して、まずアントラステッドＮ３ＧＰＰアクセスネットワークに接続し、ローカルＩＰアドレスを取得する。ＷＬＡＮは、ワイドエリアネットワーク（例えば、インターネット）へのアクセスを提供し、ＵＥはホームＰＬＭＮのＮ３ＩＷＦに接続する。Ｎ３ＩＷＦとのセキュリティアソシエーションをＵＥが確立することにより、ＩＰｓｅｃトンネルがさらに、ＵＥとＮ３ＩＷＦとの間でデータを安全にやり取りするのに用いられる。ＵＥは、ＣＮシグナリングメッセージ（すなわち、ＡＭＦとの間でやり取りされるメッセージ）をアドレス指定するのに用いられる内部ＩＰアドレス及びＩＰアドレスをＮ３ＩＷＦから受信する。ＵＥは、ホームＰＬＭＮの選択されたＡＭＦに登録し、当該ＡＭＦは、ホームＰＬＭＮのＡＵＳＦ及び／又はＵＤＭを介した認証を含んでよい。
【００５７】
本発明の１つの態様によれば、ＵＥは、ＰＷＳに関してメッセージをアドレス指定するＩＰアドレス、つまりＰＷＳ＿ＩＰ＿ＡＤＤＲＥＳＳもＮ３ＩＷＦから受信する。ＵＥは当該アドレスを格納し、ＰＬＭＮに登録する際に又は登録後に、ＵＥはＮ３ＩＷＦを用いてＰＷＳイベントをサブスクライブする。サブスクリプションのメッセージは、ＰＷＳ＿ＩＰ＿ＡＤＤＲＥＳＳにアドレス指定されてよく、これらのメッセージは、Ｎ３ＩＷＫのＮＡＳメッセージ又はユーザデータと明確に区別され得る。サブスクリプションは、ＩＥＴＦ  ＲＦＣ３３７６に記載されているように、インターネットグループ管理プロトコル（ＩＧＭＰ）を用いて行われてよい。代替的に、任意の他のメッセージフレームワーク及びフォーマットが、ＵＥと関連するＩＰｓｅｃトンネルを介したＰＷＳ警戒メッセージの配信をＵＥが要求していることをＮ３ＩＷＦに通知するのに用いられてよい。
【００５８】
ＩＧＭＰが用いられる場合、サブスクリプションメッセージは、ＩＧＭＰ状態変更報告のフォーマットを有してよい。このメッセージは、どの警戒メッセージがＵＥデバイスに該当するかについてのフィルタリング情報、すなわち、警報レベル又は警報の優先順位、及びＵＥに該当する通知エリアに関連する情報を含む。ＵＥがサブスクライブするマルチキャストグループはフィルタリング情報として用いられてよいので、ＵＥがサブスクライブできる通知エリアごとに１つのマルチキャストグループ、すなわち１つのマルチキャスト宛先ＩＰアドレスがある。代替的に、ソース特定マルチキャストが用いられ、通知エリアごとに１つのマルチキャストチャンネル、すなわち、１つのＩＰマルチキャストの送信元ＩＰアドレスと宛先ＩＰアドレスとのペアがある。
【００５９】
Ｎ３ＩＷＦに提供されるフィルタリング情報は、ＵＥにとって関心のある通知エリアを全て解決しなくてもよいことに留意されたい。ＵＥは、広域（例えば、当該ＵＥが存在する国）に該当する警戒メッセージをサブスクライブし、ＵＥにより受信される警戒メッセージは、受信後に地域関連性を対象にさらにフィルタリングされることが予見され得る。
【００６０】
マルチキャストグループに基づくフィルタリング情報の１つの例が、関連性のある国ごとに１つのグループであり、別の例では、ホームＰＬＭＮ内（連邦国家を仮定）の警戒エリアを対象に州ごとに１つのグループ、及びホームＰＬＭＮの外側の国々を対象に国ごとに１つのグループであろう。
【００６１】
マルチキャストチャンネルに基づくフィルタリング情報の１つの例が、国ごとに１つのマルチキャスト宛先アドレス、及び国内の地域ごとに１つのマルチキャスト送信元アドレスである。別の例が、全体としてＰＷＳサービスの１つのマルチキャスト宛先アドレス、及び国ごとに１つのマルチキャスト送信元アドレスである。
【００６２】
本実施形態では、位置又は警戒エリアと格納されたフィルタリング情報との間のマッピングをＵＥが有すると仮定する。この情報は、説明された手順が開始される前に、例えば、３ＧＰＰが接続されている間にホームＰＬＭＮを通じて受信されてよく、又はＳＩＭカードに格納されても、インターネットを通じて取得されてもよい。
【００６３】
本発明の別の態様によれば、Ｎ３ＩＷＦはそのＰＬＭＮのエンティティにおいて、ＵＥがサブスクライブする警戒メッセージを、例えば、そのようなメッセージを別のＵＥが過去に要求したことに起因してまだサブスクライブしていないならば、サブスクライブする。Ｎ３ＩＷＦがサブスクライブするエンティティは、ＣＮの任意のエンティティ（例えば、ＡＭＦ又はＵＤＭ）になり得る。しかし、現在のネットワークアーキテクチャによれば、ネットワーク露出機能（ＮＥＦ）は、能力及びイベントのような情報を他のネットワーク機能にさらす一般的な機能を有する。ＮＥＦはまた、ＰＬＭＮの外側の認証されたエンティティとも通信して、ＣＮ内で受信される情報を提供することができる、又は外側のエンティティから情報を受信してＣＮ内の情報を提供することができる。
【００６４】
本発明の別の態様によれば、ホームＰＬＭＮのＮＥＦは、訪問先ＰＬＭＮの一般的なカバレッジエリアに該当する警戒メッセージを訪問先ＰＬＭＮのＮＥＦにおいてサブスクライブする。第１のＰＬＭＮが第２のＰＬＭＮの３ＧＰＰアクセスネットワークのカバレッジエリアに関連する警戒メッセージを第２のＰＬＭＮにおいてサブスクライブするこの機能は、まだ知られていない。これが実行されることになるのは、第１のＰＬＭＮがまだ警戒メッセージをサブスクライブしていない場合だけである。この選択性は、図３に破線で示されている。
【００６５】
この態様は、例えば、それぞれの国の当局により運営される警報通知プロバイダのエンティティで直接サブスクライブする第１のＰＬＭＮのＮＥＦによって、同様に実現され得る。この機構は、第２のＰＬＭＮにおけるサブスクリプションと同じであり、当該エンティティのみが、ＮＥＦのようなＣＮエンティティではない。
【００６６】
Ｎ３ＩＷＦとＮＥＦとの間、及び異なるＰＬＭＮの２つのＮＥＦの間での警戒メッセージのサブスクリプションは、ＵＥがＮ３ＩＷＦでサブスクライブするのと同じ又は異なるプロトコルを用いることができる。
【００６７】
これで、後でいつでも（図３に水平破線で示される）、警戒メッセージが通知機関により第２のＰＬＭＮに提供されてよい。第２のＰＬＭＮのＮＥＦは、第１のＰＬＭＮがサブスクライブする警報について第１のＰＬＭＮに通知する。第２のＰＬＭＮのＮＥＦは、通知エリアを含む位置情報と共に通知メッセージを提供する。この通知メッセージは、サブスクリプションの選択肢によって定められるよりもずっと細かな粒度で提供されてよい。例えば、サブスクリプションが米国カリフォルニア州の警戒メッセージに関連しているとすれば、警戒メッセージの通知エリアは、米国サンフランシスコ市のユニオンスクエアに関連しているかもしれない。
【００６８】
したがって、第１のＰＬＭＮのＮＥＦは関連性のあるメッセージをフィルタリングしてよく、これらのメッセージをサブスクライブする全てのＮ３ＩＷＦにこれらのメッセージを転送する。Ｎ３ＩＷＫは、位置及び関連性情報に基づいて、これらのメッセージを再度フィルタリングし、そのメッセージを、サブスクライブするＵＥへのＩＰマルチキャストメッセージとして、すなわち、サブスクライブされるマルチキャストグループの宛先アドレスにアドレス指定され、サブスクライブされる対象の送信元アドレス又はＰＷＳ＿ＩＰ＿ＡＤＤＲＥＳＳから供給されるメッセージとして、転送してよい。マルチキャスト警戒メッセージは、マルチキャストとしてＮ３ＩＷＦに送信された且つマルチキャストとしてアドレス指定されているという事実にかかわらず、ＵＥへのＩＰｓｅｃトンネルを通じて別々に、Ｎ３ＩＷＦとＵＥ（及び潜在的には同じメッセージを受信する他のＵＥ）との間で送信される。
【００６９】
次いで、ＵＥは最終的に、メッセージを提供される通知エリアとＵＥの既知の位置とに基づいて、メッセージをフィルタリングしてよい。メッセージがフィルタを通った場合、すなわち、メッセージがＵＥ又はユーザに該当する場合、警報が開始される。ＵＥがＭＭＩを有するユーザデバイスである場合、ユーザに警告するために警報が提供される。他の場合には、警報が、マシンデバイスにより起こされる適切な動作を生じさせることがある。
【００７０】
第２実施形態が、図４に示されている。第２実施形態は任意選択の工程で開始してよい。この任意選択の工程は、本手順が開始する前にいつでも行われ得ることを強調するために、破線として図に示され且つ水平破線で分離されている。任意選択の工程では、ＵＥが第１のＰＬＭＮのカバレッジエリアにいると仮定し、当該カバレッジエリアにはＵＥが登録されていてもいなくてもよく、また当該カバレッジエリアは訪問先ＰＬＭＮでもホームＰＬＭＮでもよい。ＵＥは、位置情報を有するブロードキャスト情報を、例えば、情報をブロードキャストするセルのトラッキングエリア又はセルＩＤの形で、第１のＰＬＭＮにおいて受信する。代替的に、セルは、当該セルに該当するＰＷＳ通知エリア識別をブロードキャストする。位置情報は、ＵＥにより格納される。
【００７１】
ここで、ＵＥは、ローカルのＮ３ＧＰＰネットワークに接続し、そこから、第２のＰＬＭＮのＮ３ＩＷＦに接続する。第２のＰＬＭＮは、第１のＰＬＭＮと同一であってもよく、異なるＰＬＭＮであってもよい。図４は、２つのＰＬＭＮを、第１のＰＬＭＮでは「訪問先領域」、第２のＰＬＭＮでは「ホーム領域」と区別して、読みやすくし、代表的な実施形態を提供する。本発明では、２つのＰＬＭＮを限定するものは何もなく、「ホーム」と「訪問先」に関して役割を交換することも、又は同一にする（つまり、両方とも「ホーム」又は両方とも「訪問先」）こともできる。
【００７２】
ＵＥのＡＭＦでの登録については、Ｎ３ＩＷＦとのセキュリティアソシエーションを確立する際でも、確立した後でもよく、ＵＥは登録要求メッセージをＡＭＦに送信する。本発明によれば、登録要求は、ＵＥがＮ３ＧＰＰアクセスを介してＰＬＭＮからＰＷＳ警戒メッセージを受信する必要があることを示す情報を含んでよい。その理由は、例えば、ＵＥが位置を変更した又はリンク特性が変わったために、あるいは第２のＰＬＭＮ（例えば、ＵＥのホームＰＬＭＮ）への登録を選好したために、ＵＥが第１のＰＬＭＮへの接続を喪失したことかもしれない。ＰＷＳ警戒メッセージ配信を要求する情報に加えて、ＵＥは位置情報を提供するので、第２のＰＬＭＮのＡＭＦ又は任意の他のＣＮエンティティは、どのメッセージがＵＥに該当するかを判定することができる。さらに、ＵＥは、さらなる判定のために、警戒メッセージをフィルタリングするための関連性レベル又は優先順位レベルをＡＭＦに提供してよい。
【００７３】
位置情報は、本実施形態の任意選択の工程として説明したように、トラッキングエリア（ＴＡ）の形でも、３ＧＰＰアクセスネットワークを通じてあらかじめ受信されたセル識別情報の形でもよい。位置情報は代替的に、ＧＰＳ受信機のような内蔵手段を通じてＵＥにより決定される、又はＲＦ指紋（ＷＬＡＮビーコン及びセルラネットワーク信号）により決定される、又はこれらの任意の組み合わせによって決定される、ＵＥの地理的位置であってもよい。
【００７４】
ここで、本発明の一態様によれば、第２のＰＬＭＮのＡＭＦは、Ｎ３ＩＷＦにおいてそれぞれの警報メッセージ配信サービスをＵＥにサブスクライブさせてよい。参考として、ＡＭＦはＵＥ識別を用い、ＡＭＦは通知エリア又はＵＥがサブスクライブする必要がある地域を提供する。
【００７５】
ここで、Ｎ３ＩＷＦが、ＰＬＭＮのそれぞれの通知プロバイダ（例えば、第１実施形態にあるようなＮＥＦ）において、それぞれのメッセージ配信をまだサブスクライブしていない場合、Ｎ３ＩＷＦは、ＵＥによる警戒メッセージ配信のサブスクリプションの結果として、当該サービスをサブスクライブすることになる。次いで、第２のＰＬＭＮのＮＥＦは、Ｎ３ＩＷＦがサブスクライブする通知エリアに基づいて選択される第１のＰＬＭＮのサービスをサブスクライブしてよい。
【００７６】
代替的に、第２のＰＬＭＮのＮ３ＩＷＦは、ＮＥＦのそれぞれのサービスをＡＭＦによりサブスクライブさせられてよい。すなわち、ＡＭＦは、Ｎ３ＩＷＦにおけるＵＥ及びＮＥＦにおけるＮ３ＩＷＦにサービスをサブスクライブさせるエンティティであってよい。この代替案では、第２のＰＬＭＮのＡＭＦ又は他のＣＮエンティティを必要とし、Ｎ３ＩＷＦによる警報メッセージ配信サービスのサブスクリプションを格納して、例えば、重複サブスクリプションを防ぐことができる。代替的に、本システムは、Ｎ３ＩＷＦによる同じサービスの重複サブスクリプションによって、どのような問題も確実に生じないようにする。
【００７７】
Ｎ３ＩＷＦのＮＥＦでのサブスクリプションの前、その間、又はその後（後者は図４に示されている）に、Ｎ３ＩＷＦは、ＵＥによるＡＭＦのサブスクリプションを確認し、ＵＥがＰＷＳ警戒メッセージをＮ３ＩＷＦから受信するのに用いられるアドレス情報をＡＭＦに提供する。第１実施形態で説明したように、このアドレス情報は、Ｎ３ＩＷＦからのマルチキャストメッセージをアドレス指定するのに用いられるＰＷＳ＿ＩＰ＿ＡＤＤＲＥＳＳであってよい。アドレス情報は、マルチキャストチャンネルを構成する１対のＩＰアドレスであってもよい。アドレス情報は、ＩＰマルチキャスト以外の他のメッセージ配信機構が用いられる場合、ＩＰアドレスとは異なってもよい。
【００７８】
ＡＭＦは最終的に、アドレス情報を、例えば登録受諾メッセージでＵＥに提供し、ＰＷＳ警報サービスのサブスクリプションを確認する。ＵＥは、アドレス情報を用いて、Ｎ３ＩＷＦからの警戒メッセージを受信する、すなわちリッスンする。
【００７９】
ＰＷＳ警戒メッセージ配信は、第１実施形態のものと同じであってよいので、ここでは省略する。
【００８０】
第３実施形態が図５に示されている。第３実施形態は、第２実施形態とまさに同様に開始する。ＵＥが位置情報を事前に受信したかもしれないが、ここでＵＥは、ローカルのＮ３ＧＰＰアクセスネットワークとホームＰＬＭＮのＮ３ＩＷＦとに接続する。ＵＥは、ＰＷＳ警戒メッセージをＮ３ＩＷＦ及びＮ３ＧＰＰアクセスを介してＵＥに配信する必要があるという指示を含む登録要求メッセージを送信する。この指示には、ＵＥに該当するメッセージを識別するための位置情報が含まれる。
【００８１】
第２実施形態とは異なり、第３実施形態では、ＵＥへのＰＷＳ警戒メッセージの配信をホームＰＬＭＮはサポートしないと仮定している。その理由は、提供された位置では、警戒メッセージがホームＰＬＭＮに利用可能ではないということかもしれない。その場合には、ＡＭＦは、登録要求メッセージを受信した後に、警戒メッセージの利用可能性を確認してよい。別の理由は、Ｎ３ＧＰＰアクセスを通じた警戒メッセージ配信は、ホームＰＬＭＮによって全くサポートされないということかもしれない。
【００８２】
理由にかかわらず、ＡＭＦはＵＥの登録を受諾してよいが、ＰＷＳ警戒メッセージの配信要求の拒絶を示すことになる。本発明によれば、拒絶の結果として、ＵＥは、適切な３ＧＰＰネットワークの検索を開始し、当該ネットワークのセルを選択し、３ＧＰＰアクセスを通じてネットワークにより提供される警戒メッセージをリッスンし始めることになる。任意選択で、ＡＭＦは、Ｎ３ＧＰＰアクセスを介した登録の際に又は登録後に、３ＧＰＰを介してＰＷＳ警戒メッセージを受信するときにＵＥをサポートする情報（例えば、スケジューリング情報）をＵＥに提供してよい。
【００８３】
任意選択で、ＵＥは、ＰＷＳサービスの拒絶を理由として挙げて、ホームＰＬＭＮから登録解除し、ネットワーク検索及びセル選択の後に、選択したセルへの接続を、おそらく以下の登録要求を用いて要求してよい（図５には示されていない）。
【図１】
2021524681.tif 000003
【図２】
2021524681.tif 000004
【図３】
2021524681.tif 000005
【図４】
2021524681.tif 000006
【図５】
2021524681.tif 000007
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
公共警報システム（ＰＷＳ）メッセージをユーザ機器（ＵＥ）デバイスに非３ＧＰＰ無線ネットワークを介して提供することを可能にする方法であって、前記方法は、
前記ＵＥデバイスから非３ＧＰＰ相互接続機能（Ｎ３ＩＷＦ）へのインターネットプロトコルセキュリティ（ＩＰｓｅｃ）トンネル接続を非３ＧＰＰ（Ｎ３ＧＰＰ）無線アクセス技術によって確立する段階と、
公共警報システム（ＰＷＳ）メッセージの提供を、前記ＵＥデバイスが第１のコアネットワーク（ＣＮ）エンティティから要求する段階と、
前記第１のＣＮエンティティに、前記ＵＥデバイスの位置についての情報を、前記ＵＥデバイスが提供する段階と、
前記ＵＥデバイスが前記第１のＣＮエンティティを用いて、グループに関連する通知エリアに基づいて前記第１のＣＮエンティティにより警戒メッセージが提供される前記グループにサブスクライブする段階であって、前記通知エリアは前記ＵＥデバイスの前記位置を含む、段階と、
前記ＵＥデバイスが前記ＩＰｓｅｃトンネルを介してサブスクライブする結果として、前記警戒メッセージの前記通知エリアを含む地域に関連する送信元アドレス又は宛先アドレスを有するＰＷＳメッセージを、前記ＵＥデバイスが受信する段階と
を備える、方法。
【請求項２】
前記ＵＥデバイスの前記位置についての前記情報は、
３ＧＰＰアクセスを介して受信される前記ＵＥデバイスからのセルのセル識別と、
３ＧＰＰアクセスを介して受信される前記ＵＥデバイスのトラッキングエリア識別と、
衛星により送信される信号を用いて取得される、前記ＵＥデバイスの地理的位置と、
インターネットプロトコル（ＩＰ）アドレスと
のうちの少なくとも１つにより提供される、請求項１に記載の方法。
【請求項３】
前記Ｎ３ＩＷＦは前記第１のＣＮエンティティにより提供され、前記ＰＷＳメッセージはソース特定ＩＰマルチキャスト又は任意ソースＩＰマルチキャストにより配信される、請求項１又は２に記載の方法。
【請求項４】
ホーム公衆陸上移動体ネットワーク（ＰＬＭＮ）のネットワーク露出機能（ＮＥＦ）が、前記ＵＥデバイスの前記位置を含む地理的カバレッジを有するＰＬＭＮのＮＥＦでサブスクライブする、請求項１から３のいずれか一項に記載の方法。
【請求項５】
前記第１のＣＮエンティティは認証モビリティ機能（ＡＭＦ）を含み、前記ＡＭＦは、前記ＵＥデバイスの前記位置を含む地域向けのＰＷＳメッセージに特化したマルチキャストチャンネル及びマルチキャストグループのうちの１つを、前記ＵＥデバイスにサブスクライブさせる、請求項１又は２に記載の方法。
【請求項６】
前記ＡＭＦは、前記ＰＷＳメッセージを前記ＵＥデバイスに配信する第２のＣＮエンティティを、前記Ｎ３ＩＷＦにサブスクライブさせる、請求項５に記載の方法。
【請求項７】
前記第１のＣＮエンティティは、ＰＷＳメッセージングが前記Ｎ３ＧＰＰ無線アクセス技術を通じてサポートされるかどうかを、前記ＵＥデバイスに前記Ｎ３ＧＰＰ無線アクセス技術を通じて通知する、請求項１から６のいずれか一項に記載の方法。
【請求項８】
公共警報システム（ＰＷＳ）メッセージを受信するように適応したユーザ機器（ＵＥ）デバイスであって、前記ＵＥデバイスは、前記ＵＥデバイスから非３ＧＰＰ相互接続機能（Ｎ３ＩＷＦ）へのインターネットプロトコルセキュリティ（ＩＰｓｅｃ）トンネル接続によって、非３ＧＰＰ（Ｎ３ＧＰＰ）無線アクセス技術を用いて、コアネットワーク（ＣＮ）エンティティにアクセスするように構成され、前記ＵＥデバイスはさらに、ＰＷＳメッセージングを受信する能力について第１のＣＮエンティティに通知するように構成され、前記能力は任意選択で、そのようなメッセージングを受信する前記ＵＥデバイスのユーザの欲求を示してよく、
前記ＵＥデバイスは、
前記第１のＣＮエンティティに前記ＵＥデバイスの位置についての情報を提供することと、
グループに関連する通知エリアに基づいて前記第１のＣＮエンティティにより警戒メッセージが提供される前記グループを、前記ＵＥデバイスに前記第１のＣＮエンティティを用いてサブスクライブさせることであって、前記通知エリアは前記ＵＥデバイスの前記位置を含む、サブスクライブさせることと、
前記ＵＥデバイスによる前記グループのサブスクリプションの結果として、前記警戒メッセージの前記通知エリアを含む地域に関連する送信元アドレス又は宛先アドレスを有するＰＷＳメッセージを、前記ＩＰｓｅｃトンネルを介して受信することと
を行うように適応している、ＵＥデバイス。
【請求項９】
前記第１のＣＮエンティティは前記Ｎ３ＩＷＦを含む、請求項８に記載のＵＥデバイス。
【請求項１０】
前記第１のＣＮエンティティは認証モビリティ機能を含む、請求項８に記載のＵＥデバイス。
【請求項１１】
前記ＵＥデバイスは、前記コアネットワークからのＰＷＳメッセージ配信サービスへの前記ＵＥデバイスの登録を確認する確認情報を受信するように構成される、請求項８に記載のＵＥデバイス。
【国際調査報告】
2021524681.tif 000008
2021524681.tif 000009